(57)【要約】      （修正有）【課題】可動部のロック解除のための部品を追加することなく、省スペースで、収納と突出の両位置において可動部の位置決め保持が可能な撮像装置を提供する。【解決手段】撮像装置は、係止ピン２２ａおよび摺動部２２ｃを有し、収納位置と突出位置との間でスライド移動が可能な可動部２０をスライド移動可能に保持し、固定ユニットと、可動部２０を突出位置の方向へ付勢する第１の付勢部材と、係止ピン２２ａに係止される係止部３３ｄおよび摺動部２２ｃに当接する当接部３３ｅを有し、固定ユニットに回動可能に保持されるレバー部材３３と、レバー部材３３を係止される方向および当接する方向へ付勢する第２の付勢部材３４と、を備える。可動部２０が収納位置にあるとき、係止ピン２２ａが係止部３３ｄに係止された状態で保持され、可動部２０が突出位置にあるとき、当接部３３ｅが摺動部２２ｃに当接し、可動部２０を突出位置の方向へ付勢する。【選択図】図６
2019159149.tif 000002
【特許請求の範囲】
【請求項１】
装置本体と、
係止ピンおよび摺動部を有し、前記装置本体の内部に収納される収納位置と前記装置本体から突出する突出位置との間でスライド移動が可能な可動部と、
前記可動部をスライド移動が可能に保持し、前記装置本体に位置決め固定される固定ユニットと、
前記可動部を前記装置本体に対して前記突出位置の方向へ付勢する第１の付勢部材と、
前記係止ピンが係止される係止部および前記摺動部に当接する当接部を有し、前記固定ユニットに回動可能に保持されるレバー部材と、
前記レバー部材を前記係止される方向および前記当接する方向へ付勢する第２の付勢部材と、を備え、
前記可動部が前記収納位置にあるとき、前記係止ピンが前記係止部に係止された状態で保持され、
前記可動部が前記突出位置にあるとき、前記当接部が前記摺動部に当接し、前記可動部を前記突出位置の方向へ付勢することを特徴とする撮像装置。
【請求項２】
前記摺動部は、第１の斜面部を有し、前記第１の斜面部は、前記可動部が前記収納位置から前記突出位置へ移動する途中の位置において、前記当接部に当接し、前記レバー部材を前記第２の付勢部材の付勢力に抗して回動させるよう構成されることを特徴とする請求項１に記載の撮像装置。
【請求項３】
前記当接部は、前記可動部が前記突出位置にあるとき、前記摺動部に設けられた第２の斜面部に当接することで、前記可動部を前記突出位置の方向へ付勢することを特徴とする請求項１又は２記載の撮像装置。
【請求項４】
前記第１の斜面部と前記第２の斜面部は、互いに異なる傾斜角度で形成されていることを特徴とする請求項３に記載の撮像装置。
【請求項５】
前記可動部が前記突出位置にあるときに、前記第２の斜面部が前記当接部に圧接することによって、前記可動部と前記固定ユニットの間の電気的導通を行うことを特徴とする請求項１乃至４のいずれか一項に記載の撮像装置。
【請求項６】
前記装置本体には、前記可動部が前記突出位置へ移動した際に、前記可動部の前記係止ピンが係止される凹部が形成されていることを特徴とする請求項１乃至５のいずれか一項に記載の撮像装置。
【請求項７】
前記可動部が表示ユニットであることを特徴とする請求項１乃至６のいずれか一項に記載の撮像装置。
【請求項８】
前記表示ユニットが電子ビューファインダであることを特徴とする請求項７に記載の撮像装置。
【発明の詳細な説明】
【技術分野】
【０００１】
本発明は、装置本体の内部の収納位置と装置本体から突出した突出位置との間で移動可能な表示ユニット等の可動部を有するデジタルカメラ等の撮像装置に関する。
【背景技術】
【０００２】
デジタルカメラ等の撮像装置として、装置本体に対して突出可能に設けられた可動部を有するものがある。この撮像装置では、可動部の突出位置において可動部をロックして位置決めする機構を備え、ロック解除レバーを操作することでロックを解除して可動部を装置本体内の収納位置へ移動させる。位置決めする機構は、可動部を収納位置と突出位置の両方においてロックして位置決めする（特許文献１）。
【先行技術文献】
【特許文献】
【０００３】
【特許文献１】特開２０１２−２３１１９８号公報
【発明の概要】
【発明が解決しようとする課題】
【０００４】
しかし、上記特許文献１では、可動部の突出位置において可動部のロックを解除するためにレバー操作が必要であり、また、可動部のロック機構のための部品点数が多く、複雑な構造となってしまうため装置自体の小型化を妨げる原因となる。
【０００５】
そこで、本発明は、可動部のロック解除のための部品を追加することなく、省スペースで、収納位置と突出位置の両方において可動部の位置決め保持が可能な撮像装置を提供することを目的とする。
【課題を解決するための手段】
【０００６】
上記目的を達成するために、本発明は、装置本体と、係止ピンおよび摺動当接部を有し、前記装置本体の内部に収納される収納位置と前記装置本体から突出する突出位置との間でスライド移動が可能な可動部と、前記可動部をスライド移動が可能に保持し、前記装置本体に位置決め固定される固定ユニットと、前記可動部を前記装置本体に対して前記突出位置の方向へ付勢する第１の付勢部材と、前記係止ピンが係止される係止部および前記摺動当接部に当接する当接部を有し、前記固定ユニットに回動可能に保持されるレバー部材と、前記レバー部材を前記係止される方向および前記当接する方向へ付勢する第２の付勢部材と、を備え、前記可動部が前記収納位置にあるとき、前記係止ピンが前記係止部に係止された状態で保持され、前記可動部が前記突出位置にあるとき、前記当接部が前記摺動当接部に当接し、前記可動部を前記突出位置の方向へ付勢することを特徴とする。
【発明の効果】
【０００７】
本発明によれば、可動部のロック解除のための部品を追加することなく、省スペースで、収納位置と突出位置の両方において可動部の位置決め保持が可能な撮像装置を提供することができる。
【図面の簡単な説明】
【０００８】
【図１】本発明の撮像装置の実施形態の一例であるデジタルカメラの斜視図である。
【図２】電子ビューファインダがポップアップした状態の斜視図である。
【図３】電子ビューファインダの分解斜視図である。
【図４】（ａ）は電子ビューファインダの可動部ユニットを示す図、（ｂ）はロックレバーの斜視図である。
【図５】電子ビューファインダの断面図である。
【図６】電子ビューファインダが収納位置からポップアップ位置へ移動するときのロックレバーの動作を説明する図である。
【図７】ロックレバーの動作を詳細に説明する図である。
【図８】可動部ユニットがポップアップした状態での内部構造を示す要部断面図である。
【発明を実施するための形態】
【０００９】
以下、図面を参照して、本発明の実施形態の一例を説明する。
【００１０】
図１（ａ）は本発明の撮像装置の実施形態の一例であるデジタルカメラを正面側（被写体側）から見た斜視図、図１（ｂ）は図１（ａ）に示すデジタルカメラを背面側から見た斜視図である。
【００１１】
図１に示すように、本実施形態のデジタルカメラ（以下、カメラという。）１は、カメラ本体１ａの正面側に撮像光学系（不図示）を備える鏡筒ユニット２が設けられている。また、カメラ本体１ａの内部には、ＣＣＤやＣＭＯＳイメージセンサ等で構成され、撮像光学系を介して結像された被写体の光学像を光電変換して画像データを生成する撮像素子（不図示）が設けられている。鏡筒ユニット２は、沈胴式であり、収納時はカメラ本体１ａの内部に沈胴する。また、カメラ本体１ａには、撮像素子で生成された画像データをデジタル情報に変換する処理回路を載せた主基板（不図示）や補助基板（不図示）等が実装されている。
【００１２】
また、カメラ本体１ａの上面部には、ストロボ装置３、レリーズボタン４、ズームレバー５、電源ボタン６、マイク穴７、モード設定ダイヤル８、及び表示ユニットの一例としての電子ビューファインダ２０が設けられている。
【００１３】
ストロボ装置３は、カメラ本体１ａに内蔵されており、撮影時に被写体の明るさが不足している場合に、ポップアップして発光する。レリーズボタン４は、半押し状態（ＳＷ１がオンの状態）、および全押し状態（ＳＷ２がオンの状態）の２段階の押圧操作が可能である。レリーズボタン４が全押し操作されると、被写体が撮影され、記録媒体（不図示）に被写体像の画像データが記録される。
【００１４】
ズームレバー５は、レリーズボタン４の外周に回動可能に保持されている。ズームレバー５が回動操作されると、テレ側（画角が狭くなる方向）へのズーム動作が行われ、逆方向に回動操作されると、ワイド側（画角が広がる方向）へのズーム動作が行われる。
【００１５】
モード設定ダイヤル８は、カメラ本体１ａに対して回転可能に支持されている。モード設定ダイヤル８の天面には、各種撮影モードに応じた複数のアイコン（不図示）が印刷されており、このアイコンをカメラ本体１ａに設けられた指標（不図示）に合わせることで、アイコンに応じた各種モード等の設定を行うことができる。
【００１６】
電子ビューファインダ２０は、カメラ本体１ａに内蔵されており、使用時にはカメラ本体１ａの上方へ突出する突出位置へとポップアップする。また、電子ビューファインダ２０は、カメラ本体１ａの内部に収納される収納位置では、後述するロック機構によってカメラ本体１ａの内部に保持された状態でロックされている。
【００１７】
カメラ本体１ａは、正面を覆うとともに外観を形成するフロントカバー９と、背面を覆うとともに外観を形成するリアカバー１０を有する。また、カメラ本体１ａは、上面部の外観面を形成するとともに、電子ビューファインダ２０及びストロボ装置３の開口部が形成されているトップカバー１６を有する。また、カメラ本体１ａには、電源となる主電池（不図示）、及び撮影された被写体像を記録する記録媒体（不図示）が内蔵されている。
【００１８】
カメラ本体１ａの背面側から見て右側の側面には、電源や信号の入出力用のジャック（不図示）が設けられ、入出力用のジャックは、ジャックカバー１１で覆われて保護されている。ジャックカバー１１が開けられると、入出力用のジャックが露出し、各種ケーブル類の抜き差しが可能となる。
【００１９】
カメラ本体１ａの正面側から見て右側の側面には、フロントカバー９とリアカバー１０にまたがるように外観面を形成するサイドカバー１３が設けられている。サイドカバー１３には、解除レバー１４が上下方向にスライド操作可能に保持されており、解除レバー１４を操作することによって、電子ビューファインダ２０のポップアップ動作を行う。
【００２０】
カメラ本体１ａの背面側には、操作ボタン群１２及び表示装置１５が設けられている。操作ボタン群１２は、複数の操作ボタンから構成され、中央には十字ボタンが配置されている。操作ボタン群１２の各操作ボタンは、撮影条件の変更や再生画面への切り替えといった各種指示を入力する際に利用される。
【００２１】
表示装置１５は、撮影する被写体像の確認や撮像画像の再生表示のために用いられる。表示装置１５としては、例えば、液晶ディスプレイが用いられる。表示装置１５は、ヒンジ装置（不図示）を介して、チルト動作を行うことができるように、カメラ本体１ａに取り付けられている。
【００２２】
次に、図２を参照して、電子ビューファインダ２０の動作について説明する。図２（ａ）は、電子ビューファインダ２０がカメラ本体１ａから上方へ突出したポップアップ位置（突出位置）ある状態を示す斜視図である。カメラ本体１ａの解除レバー１４を操作することによって、電子ビューファインダ２０がカメラ本体１ａに収納された収納位置（図１）からポップアップ位置（図２）へと移動する。
【００２３】
そして、この状態から、電子ビューファインダ２０の接眼部２８をカメラ本体１ａの背面側へ引き出した状態を図２（ｂ）に示す。電子ビューファインダ２０は、接眼部２８を手前へ引き出した状態で使用可能となり、接眼部２８から撮影する被写体像の確認や撮影画像の再生表示などを確認することができる。
【００２４】
前述の表示装置１５と電子ビューファインダ２０の表示の切り替えについて、本実施形態では、接眼部２８の引出し操作を検知するセンサ部（不図示）によって行われる。接眼部２８が引き出されたときには電子ビューファインダ２０に表示を行い、収納時には表示装置１５に表示を行う。なお、表示の切り替えについては、例えば、接眼部２８付近に赤外線近接センサ（不図示）を設けて、使用者が接眼部２８を覗いたことを検知して、電子ビューファインダ２０への表示に切り替えても良い。
【００２５】
次に、図３を参照して、電子ビューファインダ２０の構成について説明する。図３は、電子ビューファインダ２０の分解斜視図である。図３に示すように、電子ビューファインダ２０は、上面を覆うとともに外観面を形成するカバー２１ａと、側面を覆うとともに外観面を形成するサイドケース２１ｂとを備える。ベースプレート２２は、板金材料で形成され、２本の金属製のガイドバー２３が加締められている。基板２４は、樹脂材料によって形成されるＥＶＦケース２５に対して位置決め固定される。
【００２６】
ＥＶＦケース２５には、接眼部２８とは反対側の面に表示パネル２６が配置される。基板２４には、カメラ本体１ａ内部の主基板（不図示）からの画像信号を伝達するためのフレキシブル基板（不図示）が接続されており、さらに表示パネル２６へとフレキシブル基板（不図示）を接続して信号を伝達する。ＥＶＦケース２５の内部には、光学レンズ群（不図示）が配置され、表示パネル２６に表示された画像を接眼部２８から覗いて確認できるようになっている。基板２４および表示パネル２６などを保持するＥＶＦケース２５は、サイドケース２１ｂとともにベースプレート２２に対して複数の締結ビス２７によって固定される。
【００２７】
ＥＶＦホルダ３０は、樹脂材料によって形成され、前述のガイドバー２３が挿通されて、上下方向にスライド移動可能に保持している。ＥＶＦホルダ３０は、フロントカバー９（図１）に対して位置決め固定される。ポップアップバネ（第１の付勢部材）３１は、ＥＶＦホルダ３０の内部に収納されて、ガイドバー２３を上方へと付勢している。バネホルダ３２は、板金材料によって形成されており、ポップアップバネ３１の端部を押さえるようにＥＶＦホルダ３０へと固定される。ここで、ＥＶＦホルダ３０及びバネホルダ３２により本発明の固定ユニットの一例を構成している。
【００２８】
ロックレバー（レバー部材）３３は、加締めピン３５によってバネホルダ３２に対して回動可能に保持されている。付勢バネ（第２の付勢部材）３４は、一端がロックレバー３３に係止され、他端がバネホルダ３２に係止されて保持され、ロックレバー３３を一方向へと付勢する。
【００２９】
次に、図４を参照して、電子ビューファインダ２０の可動部ユニット、及びロックレバー３３の詳細形状について説明する。図４（ａ）は、電子ビューファインダ２０の可動部ユニットを示す図である。図４（ａ）に示すように、ＥＶＦケース２５は、カバー２１ａとサイドケース２１ｂによって覆われた状態でベースプレート２２に対して固定されている。ベースプレート２２には、ポップダウン位置において、ロックレバー３３に係止される係止ピン２２ａが加締められている。また、ベースプレート２２から下方へと腕部２２ｂが延びて先端部にはテーパ部２２ｃが形成されている。ベースプレート２２に加締められたガイドバー２３には、一部径方向に大きくなるようにフランジ部２３ａが形成されている。
【００３０】
図４（ｂ）は、ロックレバー３３の詳細図である。ロックレバー３３は、前述の加締めピン３５（図３）が挿通されることで、孔３３ａを中心に回動可能に保持される。曲げ部３３ｂは、図１及び図２に示す解除レバー１４のスライド操作時に、解除レバー１４の突起部（不図示）が当接して押されることで、付勢バネ３４の力に抗して回動する。爪部３３ｃは、付勢バネ３４（図３）の一端が引っ掛かるように形成される。
【００３１】
係止爪３３ｄは、可動部ユニットのベースプレート２２に設けられた係止ピン２２ａが係止されるように形成されている。ロックレバー３３の先端部には、係合ピン３３ｅが加締められており、ポップアップ時にベースプレート２２のテーパ部２２ｃと当接するように形成される。
【００３２】
次に、図５及び図６を参照して、電子ビューファインダ２０のポップアップ動作について説明する。図５（ａ）は、電子ビューファインダ２０が収納位置にある状態の断面図である。図５（ａ）の状態では、ロックレバー３３によってベースプレート２２の係止ピン２２ａが係止した状態で保持される。このとき、ポップアップバネ３１によってガイドバー２３のフランジ部２３ａが上方へと押圧されるため、可動部ユニットもポップアップ方向（上方向）へ付勢されている。
【００３３】
図５（ｂ）は、電子ビューファインダ２０がポップアップ位置にある状態の断面図である。図５（ｂ）の状態では、ポップアップバネ３１によって押し上げられたガイドバー２３は、フランジ部２３ａがＥＶＦホルダ３０に突き当たって停止している。
【００３４】
図６は、電子ビューファインダ２０が収納位置からポップアップ位置へ移動するときのロックレバー３３の動作を説明する図である。
【００３５】
図６（ａ）では、電子ビューファインダ２０は収納位置に配置され、ロックレバー３３の係止爪３３ｄがベースプレート２２の係止ピン２２ａに係止して停止している。この状態で、ロックレバー３３は、付勢バネ３４によって係止ピン２２ａを係止する方向へ付勢されている。
【００３６】
図６（ｂ）では、電子ビューファインダ２０の収納位置でロックレバー３３を解除した状態を示している。この状態で、ロックレバー３３は、付勢バネ３４の付勢力に抗して、係止部の一例としての係止爪３３ｄがベースプレート２２の係止ピン２２ａから離れる方向に回動して停止している。これにより、ベースプレート２２に保持される可動部ユニットの上方へのポップアップ動作が可能な状態となる。
【００３７】
図６（ｃ）では、可動部ユニットがポップアップ動作の途中の状態を示している。図６（ｂ）の状態から、使用者が解除レバー１４（図１）から手を放すと、ロックレバー３３は付勢バネ３４の付勢力によって初期位置へ回動して停止する。この状態で、可動部ユニットが上方へ移動すると、ベースプレート２２のテーパ部２２ｃがロックレバー３３の係合ピン３３ｅに当接する。その後、係合ピン３３ｅはテーパ部２２ｃによって押されて、ロックレバー３３は解除方向へと回動を始める。
【００３８】
図６（ｄ）は、可動部ユニットがポップアップして停止した状態を示している。この状態で、前述の図５に示すように、ガイドバー２３のフランジ部２３ａがＥＶＦホルダ３０に突き当たることで、可動部ユニットは停止している。ロックレバー３３は、付勢バネ３４の付勢力によって再び初期位置へと回動して停止する。その際、ロックレバー３３の係合ピン３３ｅは、ベースプレート２２のテーパ部２２ｃに当接した状態である。
【００３９】
次に、図７を参照して、電子ビューファインダ２０がポップアップ位置にあるときの保持構造について説明する。図７（ａ）は、可動部ユニットがポップアップ動作する途中の状態における、ベースプレート２２のテーパ部２２ｃの詳細を示す図である。
【００４０】
図７（ａ）の状態において、テーパ部２２ｃの上側に位置する第１の斜面部２２ｄは、ロックレバー３３の係合ピン３３ｅに当接している。さらに可動部ユニットが上方へとスライド移動をすると、ロックレバー３３の係合ピン３３ｅは、第１の斜面部２２ｄに沿って解除方向へと回動をし始める。このとき、テーパ部２２ｃに設けられた第１の斜面部２２ｄは、可動部ユニットの上方へのスライド移動時の負荷を少なくするように傾斜角度が設定される。
【００４１】
図７（ｂ）は、可動部ユニットがポップアップ動作を終了して停止した状態を示している。図７（ａ）の状態から第１の斜面部２２ｄに押しのけられて回動したロックレバー３３の係合ピン３３ｅは、テーパ部２２ｃの下側に位置する第２の斜面部２２ｅに沿って係合方向へと回動して停止する。
【００４２】
図７（ｂ）の状態では、テーパ部２２ｃの第２の斜面部２２ｅとロックレバー３３の係合ピン３３ｅが当接して、可動部ユニットのポップアップ状態における上下方向のガタを防止するとともに、容易に下方向へ移動しないように保持する。第２の斜面部２２ｅは、ロックレバー３３の係合ピン３３ｅが容易に乗り越えないような角度に設定される。
【００４３】
このように、ベースプレート２２のテーパ部２２ｃに形成された第１の斜面部２２ｄと第２の斜面部２２ｅは異なる傾斜角度となるように設定される。
【００４４】
また、図７（ｂ）の状態では、ベースプレート２２のテーパ部２２ｃとロックレバー３３の係合ピン３３ｅが圧接することによって、ポップアップ状態においても可動部ユニットの電気的導通を行うことが可能となる。
【００４５】
次に、図８を参照して、可動部ユニットがポップアップした状態における前後方向のガタ取りについて説明する。図８は、可動部ユニットがポップアップした状態の内部構造を示す要部断面図である。
【００４６】
図８の状態で、可動部ユニットは、ポップアップバネ３１（図３）によって上方向に付勢されている。また、ロックレバー３３の係合ピン３３ｅ（当接部）とテーパ部２２ｃ（摺動部）の第２の斜面部２２ｅは圧接した状態であり、上下方向のガタ取りと電気的導通が行われる。さらに、カメラ本体１ａのトップカバー１６の内部に形成された凹部１６ａに、ベースプレート２２の係止ピン２２ａが係止されることによって、可動部ユニットの前後方向のガタ取りを行う。これにより、可動部ユニットをポップアップさせて、接眼部２８を引き出す操作をした際のガタを抑制して品位を向上させることが可能となる。
【００４７】
以上説明したように、本実施形態では、電子ビューファインダ２０を上方向へポップアップさせる構成において、ロックレバー３３を用いて、収納位置における可動部ユニットのロックを行うとともに、ポップアップ位置における位置決め保持を行うことができる。
【００４８】
また、ポップアップ位置において、ロックレバー３３を用いて、可動部ユニットとカメラ本体１ａの間の電気的導通を行うことが可能となり、電子ビューファインダ２０に静電気が印加された際の表示パネル２６や基板２４の破損等を回避することができる。
【００４９】
さらに、ポップアップ位置において、可動部ユニットの係止ピン２２ａがトップカバー１６に対して嵌合することで前後方向へのガタ取を行うことが可能となる。
【００５０】
これにより、可動部ユニットのロック解除のための部品を追加することなく、省スペースで、収納位置と突出位置の両方において可動部ユニットの位置決め保持が可能なカメラを提供することができる。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【００５２】
例えば、上記実施形態では、電子ビューファインダ２０がポップアップする場合を例示したが、これに代えて、光学式のファインダや他の装置がポップアップする場合であってもよい。
【符号の説明】
【００５３】
１  カメラ
１ａ  カメラ本体
１４  解除レバー
２０  電子ビューファインダ
２２ａ  係止ピン
２２ｃ  テーパ部
３０  ＥＶＦホルダ
３１  ポップアップバネ
３２  バネホルダ
３３  ロックレバー
３３ｄ  係止爪
３３ｅ  係合ピン
【図１】
2019159149.tif 000003
【図２】
2019159149.tif 000004
【図３】
2019159149.tif 000005
【図４】
2019159149.tif 000006
【図５】
2019159149.tif 000007
【図６】
2019159149.tif 000008
【図７】
2019159149.tif 000009
【図８】
2019159149.tif 000010